(57)【特許請求の範囲】
【請求項１】
ベッド装置におけるフレーム本体長手方向の頭側、足側に、使用状況に応じて、選択的に装着可能とした頭部足部兼用型延長ユニットを備え、この頭部足部兼用型延長ユニットを前記フレーム本体長手方向の頭側または足側に装着するかによって、前記頭部足部兼用型延長ユニット上に載置すべき延長マットレスの位置を変える構成としたことを特徴とするボトム延長機能を有するベッド装置。
【請求項２】
前記頭部足部兼用型延長ユニットは、前記フレーム本体に連結具を介し連結する連結基部枠体に突設した、ボードを支持するボード支持枠体と延長ボトムとを備え、この延長ボトムには、延長ボトムに載置すべき延長マットレスの位置を変えるためのマットレス止具を設けたことを特徴とする請求項１記載のボトム延長機能を有するベッド装置。
【請求項３】
前記マットレス止具は、一対の縦軸部と、横軸部とを有して、これら一対の縦軸部の基端部をさらに直角状に屈曲した構成として、この基端部を前記延長ボトム末端近傍裏面側に、起立倒伏可能に取り付ける構成とし、前記マットレス止具を起立した際に、前記一対の縦軸部を、延長ボトム末端側より連結基部枠体寄りの位置にもたらすようにする一方、前記マットレス止具を倒伏した際に、前記一対の縦軸部と横軸部とを、前記延長ボトム上面よりも下側に収まる構成としたことを特徴とする請求項２記載のボトム延長機能を有するベッド装置。
【発明の詳細な説明】
【０００１】
【発明の属する技術分野】
本発明は、使用者の体格、すなわち身長が大きくても、状況に応じて頭側足側に選択的に装着することでボトムを延長して使用できるようにした、ボトム延長機能を有するベッド装置に関するものである。
【０００２】
【従来の技術】
従来、ベッドは、所定の規格を基に形成されており、例えば使用者の中には、前記規格のベッドでは適合しない人（身長が高すぎてマットレス上に乗ると、足がフットボードに当たって、大腿部から下肢部を伸ばすことができない人）もおり、このような使用者のために、予めフレーム全長を通常の規格寸法よりも長く設定しておき、足側ボトムに、延長用ボトムをボード取付け部の目板を利用して取り付けて対処してきた。
また、最近では、予め規格寸法の異なる、交換用の足側フレームを備えて、適合した長さの足側フレームに交換して対処することも提案されている。
さらに本出願人は、足ボトムまたは背ボトムを支えるフレームの端部を、使用者の体格に対応して調節できるように、フレーム長手方向に伸縮調節可能に延長フレームを設け、伸長した延長フレームに対応して延長ボトムを展開載置する構成のベッド装置を提案している（特開２０００−２３７８５号参照）。
【０００３】
【発明が解決しようとする課題】
しかしながら、ユーザー側からすれば、使用状況に応じて、頭側でも足側でも使えるようにしたいという要望があるが、前述のような延長フレームは、足側専用か、頭側専用に設計されているので、前記要望を満足させるものではない。
本発明はこのような要望に充分、答えられるようにしたものであって、使用者の体格、すなわち身長が大きくても、状況に応じて頭側足側に選択的に装着することでボトムを延長して使用できるようにした、ボトム延長機能を有するベッド装置を提供することを目的とする。
【０００４】
【課題を解決するための手段】
前記した課題を解決するために、本発明では、請求項１において、ベッド装置におけるフレーム本体長手方向の頭側、足側に、使用状況に応じて、選択的に装着可能とした頭部足部兼用型延長ユニットを備え、この頭部足部兼用型延長ユニットを前記フレーム本体長手方向の頭側または足側に装着するかによって、前記頭部足部兼用型延長ユニット上に載置すべき延長マットレスの位置を変える構成としたボトム延長機能を有するベッド装置を提案する。
また本発明では、請求項２において、前記頭部足部兼用型延長ユニットは、前記フレーム本体に連結具を介し連結する連結基部枠体に突設した、ボードを支持するボード支持枠体と延長ボトムとを備え、この延長ボトムには、延長ボトムに載置すべき延長マットレスの位置を変えるためのマットレス止具を設けたボトム延長機能を有するベッド装置を提案する。
さらに本発明では、請求項３において、前記マットレス止具は、一対の縦軸部と、横軸部とを有して、これら一対の縦軸部の基端部をさらに直角状に屈曲した構成として、この基端部を前記延長ボトム末端近傍裏面側に、起立倒伏可能に取り付ける構成とし、前記マットレス止具を起立した際に、前記一対の縦軸部を、延長ボトム末端側より連結基部枠体寄りの位置にもたらすようにする一方、前記マットレス止具を倒伏した際に、前記一対の縦軸部と横軸部とを、前記延長ボトム上面よりも下側に収まる構成としたボトム延長機能を有するベッド装置を提案する。
【０００５】
請求項１によれば、使用状況に応じて、頭部足部兼用型延長ユニットをフレーム本体長手方向の頭側または足側に装着するかによって、前記頭部足部兼用型延長ユニット上に載置すべき延長マットレスの位置を変えることができ、フレーム本体上のボトム本体、すなわちマットレス本体と、延長マットレス間に生じる隙間を抑えることができる。
【０００６】
請求項２によれば、頭部足部兼用型延長ユニットをフレーム本体長手方向端部に連結具を介し取り付けることができる。
そして延長ボトム上に、マットレス止具によって位置を決めて、延長マットレスを載置することができる。
【０００７】
請求項３によれば、延長マットレスを延長ボトム上に載置する際に、頭部足部兼用型延長ユニットを頭側、または足側に装着するかで、マットレス止具を起立させたり、倒伏させることで、前記延長マットレスの載置位置を決めることができるので、フレーム本体上のボトムとの隙間を抑えることができ、載置されるマットレスの隙間も抑えることができる。
【０００８】
【発明の実施の形態】
以下、本発明にかかるボトム延長機能を有するベッド装置につき、一つの実施の形態を挙げ、添付の図面に基づいて説明する。
図１、図２、図３にボトム延長機能を有するベッド装置１を示す。このベッド装置１は、ベッド装置１におけるフレーム本体２長手方向の頭側、または足側に、使用状況に応じて、選択的に装着可能とした頭部足部兼用型延長ユニット３を備えている。
この頭部足部兼用型延長ユニット３は、図４に示すように、前記フレーム本体２に連結具４を介し、フレーム本体２長手方向端部に連結する連結基部枠体５に突設した、ボード（ヘッドボードＨｂまたはフットボードＦｂ）を支持するボード支持枠体６と、延長ボトム７とを備え、この延長ボトム７には、前記頭部足部兼用型延長ユニット３を、ベッド装置１におけるフレーム本体２長手方向の頭側か、または足側に装着するかによって、載置すべき延長マットレス８を調節するためのマットレス止具９を設けている。
【０００９】
前記頭部足部兼用型延長ユニット３を前記フレーム本体２に連結する連結具４は、図示するように二段の鉤状部４ａ，４ａを有し、前記フレーム本体２長手方向端部裏面側に形成する係合ピン（図示省略）に上方側から係合させることで、連結する構成である。
【００１０】
前記連結基部枠体５は、図５に示すように一対の基部縦パイプ５ａ，５ａと、基部縦パイプ５ａ，５ａを前記フレーム本体２幅寸法より若干長い寸法の基部横パイプ５ｂ，５ｂで連結している。
これら基部横パイプ５ｂ，５ｂのうち、図中、下部側の基部横パイプ５ｂには、前記ボード支持枠体６を一体的に突設しており、上部側の基部横パイプ５ｂには、前記延長ボトム７を一体的に突設している。
なお、前記基部縦パイプ５ａ，５ａには、フレーム本体２との結合箇所の、サイドフレームＳｆ端部をそれぞれ覆うカバーＦ，Ｆを設けている。
【００１１】
前記ボード支持枠体６は、前記下部側の基部横パイプ５ｂに突設した支持枠１０，１０によって支持するボード支持フレーム６ａ，６ａと、これら一対のボード支持フレーム６ａ，６ａを連結する横フレーム６ｂとで構成している。また、前記ボード支持フレーム６ａ，６ａは、前記延長ボトム７の幅方向両側部の下部箇所と側枠１１，１１を介して連結している。
かかるボード支持フレーム６ａ，６ａは、フレーム本体２に装着時において、フレーム長手方向の寸法を、前記延長ボトム７に比較して若干長く設定していて、先端部に、ヘッドボードＨｂまたはフットボードＦｂを取り付けるための取付具１２，１２を設けている。
【００１２】
前記延長ボトム７は、図６に示すように、前記連結基部枠体５における上部側の基部横パイプ５ｂに一体的に突設したパイプ材で構成したもので、先端両角部にＲを持たせたコ型形状の外縁部７ａと、この外縁部７ａの、ボトム幅方向に指向する先端と対向する前記基部横パイプ５ｂ間に所定間隔ごと配設した内桟部７ｂとで構成している。
【００１３】
そして前記マットレス止具９は、前記延長ボトム７末端近傍裏面側、すなわち、ボトム幅方向両外側に配設した前記内桟部７ｂ，７ｂに、支持具１３を介して、起立倒伏可能に取り付ける構成としたもので、軸部材を延長ボトム７幅寸法に対応して略コ型形状に加工して、一対の縦軸部９ａ，９ａと、横軸部９ｂとしている。
これら一対の縦軸部９ａ，９ａの基端側をさらに直角状に屈曲形成して、かかる基端部を前記支持具１３に回動自在に取着している。
前記支持具１３は、延長ボトム７末端より、所定寸法、延長ボトム７中央寄りにあり、前記マットレス止具９を起立した際に、前記一対の縦軸部９ａ，９ａを、延長ボトム７内側の位置にもたらすようにしている。
また、前記マットレス止具９を倒伏した際には、縦軸部９ａ，９ａと横軸部９ｂとは、外縁部７ａ上面に接する面よりも下側に収まるようにしている。
【００１４】
以上のようなボトム延長機能を有するベッド装置１において、標準身長の使用者においては、そのままベッド装置１のみで使用することができる。
使用状況に応じて、フレーム本体２の頭側、足側に選択的に頭部足部兼用型延長ユニット３を装着することができる。そして前記延長ユニット３の延長ボトム７に、延長マットレス８を乗せる際、前記延長ユニット３を頭側、または足側に装着するかで、適切な載置位置が異なるので、装着する箇所に応じてマットレス止具９によって載置位置を決めることができる。
【００１５】
すなわち、前記頭部足部兼用型延長ユニット３を、ベッド装置１のフレーム本体２の足側に装着する際には、先ず、頭部足部兼用型延長ユニット３における連結基部枠体５を、連結具４である鉤状部４ａ，４ａによって、前記フレーム本体２長手方向端部裏面側に形成する係合ピンに上方側から係合させることで、連結することができる。
【００１６】
前記ベッド装置１のフレーム本体２の足側端部は、頭側端部に比較して、支持されるボトム本体Ｂよりボトム長さ方向に突出しているので、延長ユニット３の延長ボトム７に、延長マットレス８を載置する際、その分、ベッド装置１のフレーム本体２上のボトム本体Ｂ、すなわちマットレス本体Ｍとの間の隙間が拡大してしまうため、マットレス止具９を起立させて、一対の縦軸部９ａ，９ａを、延長ボトム７内側の位置にもたらして、前記延長マットレス８を、マットレス本体Ｍ側に寄せるようにする（図１参照）。
【００１７】
一方、前記頭部足部兼用型延長ユニット３を、ベッド装置１のフレーム本体２の頭側に装着する際には、フレーム本体２の頭側端部は、足側端部ほど、フレーム長手方向に突出してはいないので、前記マットレス止具９は、延長ボトム７における内桟部７ｂ上に倒伏させておき、前記延長マットレス８を載置するとよい（図２参照）。
以上のようにして、延長マットレス８を延長ボトム７に載置する際に、前記延長ユニット３を頭側、または足側に装着するかで、マットレス止９を起立させたり、倒伏させることで、延長マットレス８の載置位置を決めることができるので、フレーム本体２上のマットレス本体との隙間を抑えることができる。
【００１８】
【発明の効果】
以上の通り、本発明によれば、使用状況に応じて、フレーム本体の頭側、足側に選択的に頭部足部兼用型延長ユニットを装着することができるので、手軽に使用者の体格に対応することができる。また、それぞれ、頭側専用、足側専用の延長ユニットを用意する必要はない。
また前記頭部足部兼用型延長ユニットの装着作業が簡単で、手軽に使用者の体格、すなわち身長に対応でき、ベッド自体は一つの規格のもので最大限に使用することが可能となり、全体のコストダウンにもつながる。
【００１９】
【図面の簡単な説明】
【図１】本発明にかかるボトム延長機能を有する頭部足部兼用型延長ユニットを、ベッド装置の足側箇所に装着した側面図である。
【図２】本発明にかかるボトム延長機能を有する頭部足部兼用型延長ユニットを、ベッド装置の頭側箇所に装着した側面図である。
【図３】図２示すベッド装置の平面図である。
【図４】本発明にかかるボトム延長機能を有する頭部足部兼用型延長ユニットの側面図である。
【図５】図４に示す頭部足部兼用型延長ユニットのＸ方向から見た側面図である。
【図６】図４に示す頭部足部兼用型延長ユニットのＹ方向から見た側面図である。
【符号の説明】
１                        ベッド装置
２                        フレーム本体
３                        頭部足部兼用型延長ユニット
４                        連結具
４ａ                      鉤状部
５                        連結基部枠体
５ａ                      基部縦パイプ
５ｂ                      基部横パイプ
６                        ボード支持枠体
６ａ                      ボード支持フレーム
６ｂ                      横フレーム
７                        延長ボトム
７ａ                      外縁部
７ｂ                      内桟部
８                        延長マットレス
９                        マットレス止具
９ａ                      縦軸部
９ｂ                      横軸部
１０                      支持枠
１１                      側枠
１２                      取付具
１３                      支持具
Ｈｂ                      ヘッドボード
Ｆｂ                      フットボード
Ｆ                        カバー
Ｓｆ                      サイドフレーム
Ｂ                        ボトム本体
Ｍ                        マットレス本体
【図１】
0003687853.tif 000002
【図２】
0003687853.tif 000003
【図３】
0003687853.tif 000004
【図４】
0003687853.tif 000005
【図５】
0003687853.tif 000006
【図６】
0003687853.tif 000007